(57)【要約】【課題】ストロボ付きの撮像装置において、様々なアングルでの撮影を、装置を把持する手の角度を変えたり、持ち変えることなく簡単に行える撮像装置を提供する。【解決手段】レンズユニット４を備える撮影部２と、この撮影部２によって撮影された画像を表示する表示手段３ａを備える表示部３と、を備えた撮像装置において、赤外線データ送受信器６５を備え、この赤外線データ送受信器６５は、撮影部２によって撮影された画像を外部装置に送信可能とした。【選択図】図１
2008148341.tif 000002
【特許請求の範囲】
【請求項１】
レンズユニットを備える撮影部と、
前記撮影部によって撮影された画像を表示する表示手段を備える表示部と、を備えた撮像装置において、
赤外線通信部を備え、
前記赤外線通信部は、前記撮影部によって撮影された画像を他の外部装置に送信可能とした
ことを特徴とする撮像装置。
【請求項２】
前記赤外線通信部は、前記表示部における前記表示手段が設けられた面とは異なる面に設けられている
ことを特徴とする請求項１に記載の撮像装置。
【請求項３】
前記赤外線通信部は、前記表示部における前記表示手段が設けられた面と対向する面に設けられている
ことを特徴とする請求項１に記載の撮像装置。
【請求項４】
前記赤外線通信部は、前記他の外部装置からの情報を受信する受信機能を有している
ことを特徴とする請求項１に記載の撮像装置。
【発明の詳細な説明】
【技術分野】
【０００１】
本発明は、撮影した画像を内蔵記録媒体等に記録するようにした撮像装置に関する。
【背景技術】
【０００２】
従来、レンズユニットを通して撮影された画像を記録媒体としての内蔵メモリ又は装填メモリーカードに記録するように構成した撮像装置としてデジタルカメラがあり、このデジタルカメラには撮影された画像を表示する表示画面を備えた表示部が設けられている。
【０００３】
このような表示部を有するデジタルカメラは、この表示部の表示画面にレンズユニットがとらえた被写体の映像が映り、この映像を見ながら撮影することになる。
【０００４】
そして、このデジタルカメラには、暗いところ、逆光での撮影に便利なようにストロボを備えたものがあり、このストロボはレンズユニットと共に表示部に固定されている。
【特許文献１】特開平３−１６３９６５号公報
【発明の開示】
【発明が解決しようとする課題】
【０００５】
このように、撮影された画像を内蔵メモリ等にデジタル記録するように構成したデジタルカメラ等の撮像装置は、比較的大型であり、レンズユニットとストロボユニットの取付筐体は表示部と一体化されているため、ローアングルやハイアングルで撮影する場合に、装置を把持する手の角度を変えなくてはならず、不便を感じていた。
【０００６】
特に、表示画面を備えたデジタルカメラは、この表示画面が液晶ディスプレイにより構成されてカメラ本体の後面側に取付けられ、垂直画面となっており、撮影においては、この垂直画面を眼から離れた状態で見ることになるので、ローアングルやハイアングルで撮影する場合には、装置を把持する手の角度を大きく変えたり、把持位置を変えることになり、感触が損なわれたり、またシャッター操作等の操作性も損なわれる不具合がある。
【０００７】
本発明はかかる点に鑑みてなされたもので、様々なアングルで撮影する場合に装置を把持する手の角度を変えたり、持ち変えることなく撮影を行え、特にストロボ発光撮影に最適な撮像装置を提供することを目的とする。
【課題を解決するための手段】
【０００８】
上記目的を達成するために本発明による撮像装置は、レンズユニットを備える撮影部と、撮影部によって撮影された画像を表示する表示手段を備える表示部と、を備えた撮像装置である。そして、そして、赤外線通信部を備え、この赤外線通信部は、撮影部によって撮影された画像を他の外部装置に送信可能としたことを特徴とするものである。
【発明の効果】
【０００９】
上記の如く構成される本発明の撮像装置は、撮影部により記録された画像を、赤外線通信部を通して、赤外線通信部を備えたビデオスチルカメラやパーソナルコンピュータ等の外部装置に送信してダビングし、また、デジタルプリンタに送信してプリントすることができる。
【発明を実施するための最良の形態】
【００１０】
以下、本発明による撮像装置の実施の形態例を図面を参照して説明する。
【００１１】
図１は撮像装置の実施例であるビデオスチルカメラの前面側斜視図、図２は後面側斜視図、図３は平面図、図４は側面図、図５は下面側斜視図である。この図１〜図５において１はカメラ本体、２は撮影部、３はカメラ本体の表示部を示し、カメラ本体１には記録媒体であるフラッシュメモリーを備えた記録再生装置が内蔵され、表示部３の後面側のほぼ中央部に画像の表示手段である表示画面３ａが配設されており、また、撮影部２はレンズユニット４とストロボユニット５が横方向に所要間隔を置いて配置されて、カメラ本体１の上部に上下方向に回転可能に取付けられている。
【００１２】
以下、図６及び図７に示すカメラ本体１及び撮影部２の分解斜視部、図８及び図９に示す画像表示部３の縦断面図及び横断面図を参照して本例のビデオスチルカメラを詳細に説明する。
【００１３】
先ず表示部３を構成するカメラ本体１は、図６に示すように、外筐１１が前面パネル１２と後面パネル１３を合体して形成される。この前面パネル１２と後面パネル１３は、前面部１２ａと後面部１３ａに対して外筐１１の周面部の前後半分に相当する上面部１２ｂと１３ｂ、底面部１２ｃと１３ｃ、左右両側面部１２ｄ，１２ｅと１３ｄ，１３ｅを有する筐状に形成されており、この前面パネル１２と後面パネル１３の上面部１２ｂと１３ｂには右側面部１２ｅ，１３ｅ側寄りに凹面部１２ｂ１，１３ｂ１を形成して外筐１１の上部に開口部である凹部１１ａを形成している。また、後面パネル１３の後面部１３ａのほぼ中央部には、表示画面３ａの表出窓１４が形成されている。
【００１４】
このように形成される外筐１１内に記録媒体としてのフラッシュメモリーを備えた記録再生装置６及び表示部３の構成部品が内蔵されている。
【００１５】
この記録再生装置６は、装置組立基板６１の前面側に記録媒体としてのフラッシュメモリーを搭載したコア基板６２をマルチコネクター６３を介して支持し、後面側に映像回路を搭載したビデオ基板６４を支持して構成されている。この記録再生装置６には、赤外線通信部である赤外線データ送受信器６５が備えられ、この送受信器６５は端子基板６６を介して装置組立基板６１に取付けられており、また、ビデオ基板６４には、映像回路と接続されてカメラメニューを操作するスイッチ付きロータリーエンコーダーの操作ダイヤル（以下、メニュージョグダイヤルという）６７が搭載され、ビデオ出力端子６８と直流電源入力端子６９が電源端子板７０に搭載されてこの端子板７０を介して取付けられている。
【００１６】
このように構成される記録再生装置６は、前面パネル１２内に取付けられてメニュージョグダイヤル６７の一部が後面パネル１３の右側面部１３ｅに形成した長孔１５から突出され、また、ビデオ出力端子６８と電源入力端子６９は長孔１５の下方に位置して穿孔された透孔１６と１７の内側に臨ませてあり、また、赤外線データ送受信器６５は前面パネル１２の前面部１２ａの左側部に設けられた透明窓１８に内側から対応させてある。
【００１７】
また、表示画面３ａは、液晶ディスプレイ３１とバックライトとしての平面管３２と光量を増量するプリズムシート３３とから成るもので、図８及び図９に示すように、液晶ディスプレイ３１をフレーム３４に収納してホルダー３５に嵌合し、内面側にプリズムシート３３を配置してこのプリズムシート３３の内面側に、取付板３６に取付けられた平面管３２を、取付板３６をホルダー３５に嵌着することにより配置して構成し、また、取付板３６の外面側には平面管３２のリード線となるフレキシブル配線板３７が導出されて前述した電源端子板７０に接続されるようになっている。
【００１８】
このように構成される表示画面３ａは、液晶ディスプレイ３１とバックライトとしての平面管３２とがプリズムシート３３を介在して一体的に組立てられると共に液晶ディスプレイ３１と平面管３２との間は密封状態になって塵埃の侵入が防止され、液晶ディスプレイ３１は平面管３２により確実に照明されて画像が鮮明に表示される。
【００１９】
そして、このように構成される表示画面３ａは、外筐１１の後面パネル１３内に取付けられて、図２に示すように液晶ディスプレイ３１の表面側である画面が後面部１３ａの表出窓１４に臨み表出される。
【００２０】
また、後面パネル１３内には、カメラ本体１の右側部側に位置して操作釦群７が釦取付板８により取付けられてフレキシブル配線板９により前述したビデオ基板６４に接続され映像回路を操作するように構成されている。
【００２１】
この操作釦群７は、ストロボ撮影する場合に操作するフラッシュ釦７１、メニュー操作を中止する場合に操作するリターン釦７２、セルフタイマー撮影をする場合に操作するセルフタイマー釦７３、表示画面を反転、すなわち、画面を９０°毎に回転操作する反転釦７４、表示画面を簡易表示→詳細表示→表示なしの順に切換え操作する画面表示釦７５及び撮影した画像の再生をしながら撮影する場合に操作するレビュー釦７６から構成されて、それぞれの釦７１〜７６の押圧部は後面パネル１３の後面部１３ａに表示窓１４の側部に位置して穿孔された釦窓孔１９から突出されている。
【００２２】
次に、撮影部２は、図７に示すように外筐２１が前述したカメラ本体１の外筐１１とほぼ同厚とされるとともに凹部１１ａの幅とほぼ同幅で前側キャビネット２２と後側キャビネット２３とを合体して形成される。この前側キャビネット２２は、前面部２２ａの全周縁に一体に比較的低い高さの周面部２２ｂを形成したものであり、また後側キャビネット２３は、後面側から上下面側にかけた主面部２３ａをほぼ横倒Ｕ字状に形成してこの主面部２３ａの両側縁に側面部２３ｂ，２３ｃを立上げ形成したものである。
【００２３】
この前側キャビネット２２と後側キャビネット２３を合体して形成される外筐２１内にホルダー２４を嵌合固定してレンズユニット４とストロボユニット５を取付けることにより撮影部２を構成している。
【００２４】
すなわち、ホルダー２４は外筐２１の前側キャビネット２２内に嵌合される保持板部２５とこの保持板部２５の両側に後方へ突設されて後側キャビネット２３の両側部に嵌合される脚板部２６，２７とから形成されて、保持板部２５にはレンズユニット４に対応するレンズ窓２８とストロボユニット５に対応するストロボ窓２９が横方向に所要間を置いて形成されており、このストロボ窓２９は発光窓２９ａと受光窓２９ｂに分かれている。また、脚板部２６，２７の外側面には軸受ボス２６ａ，２７ａを中心軸線を一致させて突出形成してある。
【００２５】
このように形成されるホルダー２４は、レンズユニット４とストロボユニット５を保持板部２５の内側に両脚板部２６と２７の間に位置して横方向に所要間隔で取付けるもので、レンズユニット４は、パンフォーカス及びマクロ撮影可能なレンズ機構４１に固体映像素子（以下ＣＣＤという）を組み合わせてレンズホルダー４２に取付けて構成されており、レンズホルダー４２の後部にはＣＣＤの回路基板４３が固定されて前述した記録再生装置６のコア基板６２側へ接続されるフレキシブル配線板４４が導出され、またレンズ機構４１側からもコア基板６２側へ接続されるフレキシブル配線板４５が導出されている。
【００２６】
このように構成されるレンズユニット４は、レンズホルダー４２において、ホルダー２４の保持板部２５の内面側にレンズ窓２８に対応させて取付け、このレンズ窓２８の前面側にはレンズ保護透明板４６がフレーム４７を介して取付ける。このレンズ保護透明板４６はフレーム４７と共に前面キャビネット２２のレンズ窓２２ａ１に臨む。また、外筐２１の後側キャビネット２３の主面部２３ａには左側部上面にレンズユニット４のマクロ撮影切換レバー４８が備えられ、右側部の周面に指掛け部４９が設けられている。
【００２７】
また、ストロボユニット５は、例えばキセノン管等のストロボ発光灯５１を保持した反射板５２をストロボホルダー５３内に嵌合固定し、このストロボホルダー５３をストロボ基板５４に取付けてストロボ発光灯５１を電源回路に接続することにより構成されている。また、ストロボ基板５４にはストロボ発光量を調整するための受光素子５５が実装されて、この受光素子５５はストロボホルダー５３の側部に取付けた保持筒５６に嵌挿保持されており、ストロボ基板５４から前述した記録再生装置６のビデオ基板６４側と電源端子板７０側に接続されるフレキシブル配線板５７とリード線５８が導出されている。
【００２８】
このように構成されるストロボユニット５はストロボホルダー５３において、ホルダー２４の保持板部２５の内面側にストロボ窓２９、詳しくは、ストロボ発光灯５１側を発光窓２９ａに対応させ、受光素子５５側を受光窓２９ｂに対応させて取付け、発光窓２９ａ及び受光窓２９ｂにはそれぞれ保護透明板５９ａ及び５９ｂを嵌着する。この保護透明板５９ａ及び５９ｂは前面キャビネット２２のストロボ窓２２ａ２及び２２ａ３に臨む。
【００２９】
以上のように構成される撮影部２は、カメラ本体１の外筐１１に形成された凹部１１ａに嵌合してホルダー２４の両脚板部２６，２７の軸受ボス２６ａ，２７ａを、凹部１１ａの両内側面に前後面パネル１２，１３に跨がって形成された挿通孔１１ａ１，１１ａ２に挿通して外筐１１内の上部両側に配設された軸部材に回転可能に軸支すると共に、レンズユニット４側のフレキシブル配線板４４，４５を一方、すなわち、左側部の挿通孔１１ａ１から、また、ストロボユニット５側のフレキシブル配線板５７，５８を他方、すなわち、右側部の挿通孔１１ａ２からそれぞれ外筐１１内に挿入して前述したコア基板６２側とビデオ基板６４、電源端子板７０側に接続する。
【００３０】
また、カメラ本体１の外筐１１の一方側、すなわち、左側部の軸部材８１は支持部材８２に取付けられており、また、他方側、すなわち、右側部の軸部材は外筐１１の右側面に軸支されロックレバー８３に取付けられてロック機構を介して前述したホルダー２４の右側脚板部２７の軸受ボス２７ａを軸支している。
【００３１】
このカメラ本体１の外筐１１内の左側上部には、前述した支持部材８２に隣接してシャッタースイッチ８４が取付部材８５に取付けられて配置されており、このシャッタースイッチ８４を操作するシャッター釦８６が外筐１１の左側上面に表出されている。また、カメラ本体１の外筐１１の左側面には、電源／ファンクションダイヤル８７が取付けられて、前述した記録再生装置６のビデオ基板６４側とフレキシブル配線板８９により接続されており、この電源／ファンクションダイヤル８７は、電源のオン・オフ操作、再生操作及びオート撮影・マニュアル撮影切換操作するように構成されている。
【００３２】
また、カメラ本体１の外筐１１の下部には、図１及び図６に示すように電池ケース９１が配設されて、この内端部には電池端子板９２が取付けられ、前述した電源端子板７０にリード線９３により接続されており、また、外端部は外筐１１の左側面部の下部に開口されて電池蓋９４が取付けられている。この電池ケース９１に電源として収納する電池としては充電電池、例えば充電式リチウムイオン電池９５が用いられる。
【００３３】
また、この電池ケース９１の下面側には、図５に示すように三脚用ねじ穴９６、画面明るさ調節用ダイヤル９７、リセットボタン９８及び後述する乾電池アダプターの爪掛け部９９が配設されている。
【００３４】
以上のように構成される本例のビデオスチルカメラの電源としては乾電池を使用できるようになっており、この乾電池を使用するには図１０に示す乾電池アダプター１０１が用いられる。
【００３５】
この乾電池アダプター１０１は、単３形乾電池１００が４本収納される筐状主体１０２に電池接続端子板となる電池蓋１０３を備えると共にカメラ本体１側に接続するプラグ１０４付きリード線１０５を導出して構成されて、筐状主体１０２の上面に、カメラ本体１側の爪掛け部９９に係合される係合爪１０６を突設すると共に三脚用ねじ穴９６に螺合する締付けねじ１０７を回転可能に取付けてある。
【００３６】
この乾電池アダプター１０１はカメラ本体１の下面側、すなわち、電池ケース９１の下面に、係合爪１０６を爪掛け部９９に係合して締付けねじ１０７を三脚用ねじ穴９６に螺合して締付けることにより固定し、リード線１０５のプラグ１０４をカメラ本体１側の直流電源入力端子６９に透孔１７を通して差し込むことにより電気的に接続する。これにより単３形乾電池１００がカメラ本体１の電源となる。
【００３７】
以上のように構成されるビデオスチルカメラは、電源をオンさせてファンクションダイヤル８７を回転操作してオート撮影に合わせることにより、表示部３の表示画面３ａに、被写体の撮影部２のレンズユニット４がとらえた映像が映り、この状態でシャッター８４をシャッター釦８６を介して押すことにより撮影される。この撮影した静止画像を表示部３の表示画面３ａに映すと共に記録再生装置６において記録される。
【００３８】
また、ファンクションダイヤル８７をマニュアル撮影に合わせることにより、カメラメニューで明るさ、シャッタースピード、画質など調節した後、シャッター８４を押して撮影する。またマクロ撮影する場合は、マクロ撮影切換レバー４８を切換操作してレンズユニット４をマクロ撮影側に切換える。そして、ストロボ撮影する場合は、フラッシュボタン７１を押圧操作した後、前述の場合と同様にシャッター８４を押すことによりストロボ撮影が行える。
【００３９】
また、各種のメニューによりこれに対応した撮影を行い記録することができる。
【００４０】
そして、撮影記録した後、ファンクションダイヤル８７を再生に合わせることにより撮影した静止画が再生されて表示部３の表示画面３ａに映し出される。
【００４１】
また、撮影し、記録された静止画は赤外線データ送受信器６５を通して、赤外線データ送受信器を備えた他の外部装置であるビデオスチルカメラ、パーソナルコンピュータ等に送信してダビングし、また、デジタルプリンタに送信してプリントすることができる。
【００４２】
以上のように撮影した静止画を表示部３の表示画面３ａに映し、記録再生装置６において記録、再生する本例のビデオスチルカメラは、撮影部２がカメラ本体１の表示部３に対して上下方向に回転可能に構成されているので、ロックレバー８３を操作してカメラ本体１に対する撮影部２のロックを解除することにより、撮影部２を回転して所望の角度に変化させた状態で再びロックして角度を変えた位置の撮影を行うことができ、また、撮影部２をカメラ本体１の表示部３に対して１８０°回転させることにより表示部３の表示画面３ａと向き合って撮影でき、すなわち、撮影者自身を撮影しながら画像を見ることができる。
【００４３】
このように角度を変えた撮影は、カメラ本体１の角度を変えることなく行えるのでカメラ本体１を把持する手の角度を変えることなく、また、表示部３の表示画面３ａを見る角度を変えることなく行える。
【００４４】
そして、この角度を変えた撮影においても、ストロボユニット５はレンズユニット４と一対的に回転し、角度が変わるのでストロボ撮影を通常位置での撮影と全く同様に行うことができる。
【００４５】
このようにカメラ本体１に対して回転される撮影部２は、カメラ本体１に対して両側で回転支持されていることにより、常に安定して回転されて、所望の角度位置で確実に係止でき、角度を変えた撮影、すなわち、ローアングルやハイアングルでの撮影を振れが生じることなく、撮影部がカメラ本体と一体形のカメラと同様に確実に撮影することができる。
【００４６】
そして、カメラ本体１に対して回転される撮影部２のレンズユニット４とストロボユニット５をそれぞれ、カメラ本体１の記録再生装置６側へ電気的に接続するレンズユニット４側のフレキシブル配線板４４，４５とストロボユニット５側のフレキシブル配線板５７、リード線５８はカメラ本体１の外筐１の異なる側部、すなわち、左側部と右側部を通して導入されるので、両者が不用意に接触するおそれがなく、ストロボユニット５の発光時に発生する機械的ノイズがレンズユニット４の画像信号に悪影響を与えることなく、鮮明な静止画像を記録再生することができる。
【００４７】
また、表示画面３ａの液晶ディスプレイ３１とバックライトとしての平面管３２とは密封構造で合体されていることにより、塵埃等が侵入するおそれがなく、画面３ａに常に鮮明な静止画像を映し出すことができる。
【００４８】
以上、本発明の実施の形態の一例を説明したが、本発明はこの例に限定されるものではなく、本発明の趣旨を逸脱しない範囲で種々変更できるものである。
【００４９】
例えば、カメラ本体１及び撮影部２の形状は図示のものに限ることなく、レンズユニット４とストロボユニット５とを横方向に所要間隔で配置した撮影部２をカメラ本体１に対して両側から支持する構成であればよい。
【００５０】
また、記録再生装置６の構成も図示のものに限定されるものではなく、記録媒体としてメモリーカードを使用するように構成することができる。また、表示部３はカメラ本体１に対して着脱可能とする構成にしてもよい。
【００５１】
そして、本発明は各種のデジタルスチルカメラに適用できるものである。
【００５２】
以上のように本発明によるビデオスチルカメラは、レンズユニットとストロボユニットを同一の筐体に配置して、カメラ本体に対して上下方向に回転可能に取付けたことにより、カメラ本体を把持する手の角度を変えたり、また、持ち変えることなく上下方向及び前後方向に自由な角度でストロボ発光による撮影が可能で、暗いところ、また逆光でのローアングルやハイアングルの撮影を確実に行うことができる。
【図面の簡単な説明】
【００５３】
【図１】本発明の実施例であるビデオスチルカメラの一例の前面側斜視図である。
【図２】図１に示すビデオスチルカメラの乾電池アダプターを取付けた状態の後面側斜視図である。
【図３】図１に示すビデオスチルカメラの平面図である。
【図４】図１に示すビデオスチルカメラの右側面図である。
【図５】図１に示すビデオスチルカメラの下面側斜視図で、乾電池アダプターを取外した状態を示すものである。
【図６】図１に示すビデオスチルカメラのカメラ本体の分解斜視図である。
【図７】図１に示すビデオスチルカメラの撮影部の分解斜視図である。
【図８】図１に示すビデオスチルカメラの画像表示部の拡大縦断面図である。
【図９】図１に示すビデオスチルカメラの画像表示部の拡大横断面図である。
【図１０】本発明によるビデオスチルカメラに用いる一例の乾電池アダプターの電池蓋を開いた状態の斜視図である。
【符号の説明】
【００５４】
１…カメラ本体、２…撮影部、３…表示部、３ａ…表示画面(表示手段)、４…レンズユニット、５…ストロボユニット、１１…外筐、１１ａ…凹部(開口部)、１２…前面パネル、１３…後面パネル、１８・・・透明窓、２２…前側キャビネット、２３…後側キャビネット、２６ａ，２７ａ…軸受ボス、３１…液晶ディスプレイ、３２…平面管(バックライト)、４４，４５，５７…フレキシブル配線板、５５…受光素子、５８…リード線、６５・・・赤外線データ送受信器（赤外線通信部）、６７…操作ダイヤル、７４…反転釦
【図１】
2008148341.tif 000003
【図２】
2008148341.tif 000004
【図３】
2008148341.tif 000005
【図４】
2008148341.tif 000006
【図５】
2008148341.tif 000007
【図６】
2008148341.tif 000008
【図７】
2008148341.tif 000009
【図８】
2008148341.tif 000010
【図９】
2008148341.tif 000011
【図１０】
2008148341.tif 000012